(57)【要約】【課題】利便性を損なうことなく不正使用を防止することのできる携帯端末を提案する。【解決手段】携帯端末の引継処理が開始されると位置情報取得部１０９において操作している位置が取得される。パスワード認証部１０７において第１所有者の入力したパスワードが認証されると、その位置情報が登録される。携帯端末を引継ぐ第２所有者は同じ場所で引継操作を行なうことで、位置情報取得部１０９において取得された位置情報が位置情報認証部１１３において登録された位置情報と同じであることが認証され、引継ぎが許可される。【選択図】図２
2007208474.tif 000002
【特許請求の範囲】
【請求項１】
第１ユーザから第１引継操作を受付ける第１操作手段と、
前記第１引継操作がなされたときの現在位置に関する第１位置情報を取得する第１位置情報取得手段と、
前記第１引継操作において第１ユーザから入力されたパスワードを認証するパスワード認証手段と、
前記パスワードが認証されると、前記第１位置情報を登録する位置情報登録手段と、
第２ユーザから第２引継操作を受付ける第２操作手段と、
前記第２引継操作がなされたときの現在位置に関する第２位置情報を取得する第２位置情報取得手段と、
前記第１位置情報に基づいて前記第２位置情報を認証する位置情報認証手段と、
前記第２位置情報が認証されると、外部メモリより前記第２ユーザに関するユーザ情報を認識し取得する認識手段と、
前記ユーザ情報を登録するユーザ情報登録手段とを備える、携帯端末。
【請求項２】
前記位置情報登録手段は、他の装置にアクセスして前記他の装置に含まれる記憶装置に前記位置情報を登録する、請求項１に記載の携帯端末。
【請求項３】
前記ユーザ情報登録手段は、他の装置にアクセスして前記他の装置に含まれる記憶装置に前記ユーザ情報を登録する、請求項１に記載の携帯端末。
【請求項４】
前記位置情報認証手段において前記第２位置情報が認証されない場合、当該携帯端末の機能を制限する制御手段をさらに備える、請求項１に記載の携帯端末。
【請求項５】
前記位置情報認証手段において前記第２位置情報が認証されない場合、その旨を通知する通知手段をさらに備える、請求項１に記載の携帯端末。
【請求項６】
前記通知手段は、所定の装置にその旨を示す情報を送信する、請求項５に記載の携帯端末。
【請求項７】
前記通知手段は、音の鳴動によりその旨を通知する、請求項５に記載の携帯端末。
【請求項８】
前記第１位置情報取得手段および前記第２位置情報取得手段は、ＧＰＳ（Global Positioning System）機能を利用して位置情報を取得する、請求項１に記載の携帯端末。
【請求項９】
前記位置情報認証手段は、前記第２位置情報が示す位置が前記第１位置情報が示す位置から所定の範囲内にある場合に前記第２位置情報を認証する、請求項１に記載の携帯端末。
【請求項１０】
前記外部メモリは、ＩＣ（Integrated Circuit）カードである、請求項１に記載の携帯端末。
【請求項１１】
外部メモリを接続し、前記外部メモリとの間で情報を送受信する接続手段と、
ユーザ操作を受付ける操作手段と、
前記ユーザ操作に従って通信を行なう通信手段と、
ＧＰＳ機能を利用して位置情報を取得する位置情報取得手段とを備える携帯電話機であって、
前記操作手段は、
第１ユーザから第１引継操作を受付ける第１操作手段と、
第２ユーザから第２引継操作を受付ける第２操作手段とを含み、
前記位置情報取得手段は、
前記第１引継操作がなされたときの現在位置に関する第１位置情報を取得する第１位置情報取得手段と、
前記第２引継操作がなされたときの現在位置に関する第２位置情報を取得する第２位置情報取得手段とを含み、
前記第１引継操作において第１ユーザから入力されたパスワードを認証するパスワード認証手段と、
前記パスワードが認証されると、前記第１位置情報を登録する位置情報登録手段と、
前記第１位置情報に基づいて前記第２位置情報を認証する位置情報認証手段とをさらに備え、
前記接続手段は、前記第２位置情報が認証されると、前記外部メモリより前記第２ユーザに関するユーザ情報を認識し取得する認識手段を含み、
前記ユーザ情報を登録するユーザ情報登録手段をさらに備える、携帯電話機。
【請求項１２】
携帯端末とサーバとを含む情報管理システムであって、
前記携帯端末は、
第１ユーザから第１引継操作を受付ける第１操作手段と、
前記第１引継操作がなされたときの現在位置に関する第１位置情報を取得する第１位置情報取得手段と、
前記第１引継操作において第１ユーザから入力されたパスワードを認証するパスワード認証手段と、
前記パスワードが認証されると、前記第１位置情報を前記サーバに登録する位置情報登録手段と、
第２ユーザから第２引継操作を受付ける第２操作手段と、
前記第２引継操作がなされたときの現在位置に関する第２位置情報を取得する第２位置情報取得手段と、
前記サーバに登録された前記第１位置情報に基づいて前記第２位置情報を認証する位置情報認証手段と、
前記第２位置情報が認証されると、外部メモリより前記第２ユーザに関するユーザ情報を認識し取得する認識手段と、
前記ユーザ情報を前記サーバに登録するユーザ情報登録手段とを備える、情報管理システム。
【発明の詳細な説明】
【技術分野】
【０００１】
この発明は携帯端末、携帯電話機、および情報管理システムに関し、特に、使用者の認証を行なう携帯端末、携帯電話機、および情報管理システムに関する。
【背景技術】
【０００２】
現在、加入者の情報を記録したＩＣ（Integrated Circuit）カード（ＳＩＭ（Subscriber Identity Module）、ＵＩＭ（User Identity Module）等）等の外部メモリ（加入者ＩＣカードと称する）を接続し、それによって使用者を識別する携帯端末が主流となってきている。
【０００３】
携帯端末をこのような構成にすることによって、加入者ＩＣカードを入替えることにより他の携帯端末を加入者ＩＣカードに記憶されている電話番号で容易に使用できる。その反面、自らの加入者ＩＣカードを挿入することで、不正に入手した携帯端末であっても自分の携帯端末として使うことが可能となる。そのため、盗難に遭った場合や紛失した場合に私物化される危険性が高いため、不正使用を防止することが課題となっている。
【０００４】
加入者ＩＣカードで使用者を識別する携帯端末の不正使用防止に関する技術としては、たとえば、以下の特許文献１にも開示されている。当該文献には、ＩＣカードに記憶された個人情報を認識する識別手段と、この識別手段で認識された個人情報を格納する記憶手段とを備え、加入者の情報を記録したＩＣカードでのみ使用を許可する携帯端末装置において、記憶手段に個人情報のうちの１つである識別用個人情報を登録してから、ＩＣカードを装着して、識別用個人情報が加入者カードに記憶された個人情報に含まれることを確認してから、使用可能とする技術が開示されている。このことにより、携帯端末装置の紛失・盗難時の不正使用が防止される。
【特許文献１】特開２００５−２２３７８５号公報
【発明の開示】
【発明が解決しようとする課題】
【０００５】
加入者ＩＣカードで使用者を識別する携帯端末の不正使用を防止するためには、セキュリティを向上させて強固にすることが考えられるが、上記特許文献１に開示されている技術のようにセキュリティを向上させると、加入者ＩＣカードを入替えることで他の携帯端末を容易に使用できるという利点が損なわれてしまうという問題もある。
【０００６】
本発明はこのような問題に鑑みてなされたものであって、利便性を損なうことなく不正使用を防止することのできる携帯端末、携帯電話機、および情報管理システムを提供することを目的とする。
【課題を解決するための手段】
【０００７】
上記目的を達成するために、本発明のある局面に従うと、携帯端末は、第１ユーザから第１引継操作を受付ける第１操作手段と、第１引継操作がなされたときの現在位置に関する第１位置情報を取得する第１位置情報取得手段と、第１引継操作において第１ユーザから入力されたパスワードを認証するパスワード認証手段と、パスワードが認証されると、第１位置情報を登録する位置情報登録手段と、第２ユーザから第２引継操作を受付ける第２操作手段と、第２引継操作がなされたときの現在位置に関する第２位置情報を取得する第２位置情報取得手段と、第１位置情報に基づいて第２位置情報を認証する位置情報認証手段と、第２位置情報が認証されると、外部メモリより第２ユーザに関するユーザ情報を認識し取得する認識手段と、ユーザ情報を登録するユーザ情報登録手段とを備える。なお
、上記外部メモリとしては、具体的にはＩＣ（Integrated Circuit）カードが挙げられる。
【０００８】
また、位置情報登録手段は、他の装置にアクセスして他の装置に含まれる記憶装置に位置情報を登録することが好ましい。同様に、ユーザ情報登録手段は、他の装置にアクセスして他の装置に含まれる記憶装置にユーザ情報を登録することが好ましい。
【０００９】
さらに、携帯端末は、位置情報認証手段において第２位置情報が認証されない場合、当該携帯端末の機能を制限する制御手段を備えることが好ましい。
【００１０】
または、位置情報認証手段において第２位置情報が認証されない場合、その旨を通知する通知手段を備えることが好ましい。なお、通知手段は、所定の装置にその旨を示す情報を送信する、または、音の鳴動によりその旨を通知することが好ましい。
【００１１】
また、第１位置情報取得手段および第２位置情報取得手段は、ＧＰＳ（Global Positioning System）機能を利用して位置情報を取得することが好ましい。
【００１２】
また、詳しくは、位置情報認証手段は、第２位置情報が示す位置が第１位置情報が示す位置から所定の範囲内にある場合に第２位置情報を認証することが好ましい。
【００１３】
本発明の他の局面に従うと、携帯電話機は、外部メモリを接続し、外部メモリとの間で情報を送受信する接続手段と、ユーザ操作を受付ける操作手段と、ユーザ操作に従って通信を行なう通信手段と、ＧＰＳ機能を利用して位置情報を取得する位置情報取得手段とを備える携帯電話機であって、操作手段は、第１ユーザから第１引継操作を受付ける第１操作手段と、第２ユーザから第２引継操作を受付ける第２操作手段とを含み、位置情報取得手段は、第１引継操作がなされたときの現在位置に関する第１位置情報を取得する第１位置情報取得手段と、第２引継操作がなされたときの現在位置に関する第２位置情報を取得する第２位置情報取得手段とを含み、第１引継操作において第１ユーザから入力されたパスワードを認証するパスワード認証手段と、パスワードが認証されると、前記第１位置情報を登録する位置情報登録手段と、第１位置情報に基づいて第２位置情報を認証する位置情報認証手段とをさらに備え、接続手段は、第２位置情報が認証されると、外部メモリより第２ユーザに関するユーザ情報を認識し取得する認識手段を含み、ユーザ情報を登録するユーザ情報登録手段をさらに備える。
【００１４】
本発明のさらに他の局面に従うと、情報管理システムは、携帯端末とサーバとを含む情報管理システムであって、携帯端末は、第１ユーザから第１引継操作を受付ける第１操作手段と、第１引継操作がなされたときの現在位置に関する第１位置情報を取得する第１位置情報取得手段と、第１引継操作において第１ユーザから入力されたパスワードを認証するパスワード認証手段と、パスワードが認証されると、第１位置情報をサーバに登録する位置情報登録手段と、第２ユーザから第２引継操作を受付ける第２操作手段と、第２引継操作がなされたときの現在位置に関する第２位置情報を取得する第２位置情報取得手段と、サーバに登録された第１位置情報に基づいて第２位置情報を認証する位置情報認証手段と、第２位置情報が認証されると、外部メモリより第２ユーザに関するユーザ情報を認識し取得する認識手段と、ユーザ情報をサーバに登録するユーザ情報登録手段とを備える。
【発明の効果】
【００１５】
以上のように、携帯端末が盗難に遭った場合や紛失した場合において、第三者による携帯端末の不正使用または私物化を防止することができる。また、新規購入時には登録場所を携帯端末取扱店とすることで、店からの盗難の抑制も見込める。
【発明を実施するための最良の形態】
【００１６】
以下に、図面を参照しつつ、本発明の実施の形態について説明する。以下の説明では、同一の部品および構成要素には同一の符号を付してある。それらの名称および機能も同じである。
【００１７】
本発明にかかる携帯端末が適用される具体的な装置としては、代表的には携帯電話機が挙げられるが、本発明にかかる携帯端末は携帯電話機に限定されず、ＧＰＳ（Global Positioning System）機能等の位置情報取得機能を備える携帯装置であればよく、たとえば、位置情報取得機能を備える、ＰＤＡ（Personal Digital Assistants）やノート型・パーソナルコンピュータやウェアラブル・パーソナルコンピュータやデジタルカメラやゲーム機や音声およびまたは画像再生装置などであってもよい。
【００１８】
［第１の実施の形態］
図１は、携帯電話機等である第１の実施の形態にかかる携帯端末１００の主要なハードウェア構成の具体例を示す図である。
【００１９】
図１を参照して、携帯端末１００は、送受信用のアンテナ１と、通信部２と、ＧＰＳ（Global Positioning System）３と、音声を鳴動させるスピーカ６と、ＣＰＵ（Central Processing Unit）などから構成される制御部７と、ユーザとのインタフェースであって、ユーザが各種入力を行なう操作部８および各種表示を行なう表示部９と、ＲＯＭ（Read Only Memory）やＲＡＭ（Random Access Memory）やＨＤ（Hard Disk）などの記憶部１０と、外部メモリを接続する接続部１２とを含んで構成される。外部メモリの具体例として、ここではＩＣ（Integrated Circuit）カード１３が接続されるものとする。
【００２０】
記憶部１０は制御部７で実行されるプログラムを記憶し、そのプログラムには本発明にかかる引継プログラム１５が含まれる。また、記憶部１０は、制御部７でプログラムが実行される際の作業領域にもなる。
【００２１】
操作部８はボタンやキーボードやマウスなどのポインティング装置やタッチパネルなどが該当し、ユーザ操作による操作信号を制御部７に入力する。
【００２２】
制御部７には、通信部２、ＧＰＳ３、スピーカ６、操作部８、表示部９、記憶部１０、および接続部１２が接続される。制御部７は、操作部８から入力される操作信号に応じて記憶部１０に記憶される引継プログラム１５等のプログラムを読出して実行し、接続される各部に制御信号や出力のためのデータを送信して各部を制御する。
【００２３】
通信部２は、制御部７からの制御信号にしたがって所定の通信方式で基地局との間で通信信号の送受信を行なう。通信部２は、アンテナ１を介して受信した通信信号を制御部７に入力する。
【００２４】
ＧＰＳ３は、制御部７からの制御信号にしたがってアンテナ１を介して複数の人工衛星より各々電波を受信し、それらの電波を用いて現在位置を算出して制御部７に入力する。
【００２５】
スピーカ６および表示部９は、制御部７から入力された音声信号および表示データに基づいて音声出力および画面表示を行なう。
【００２６】
接続部１２はＩＣカード１３と制御部７とを電気的に接続するためのコネクタであって、制御部７は、プログラムを実行する際に必要に応じて、接続部１２を介してＩＣカード１３に記憶される所定の情報を読出す。
【００２７】
ＩＣカード１３には、携帯端末１００の所有者に関する情報である所有者情報（ユーザ情報）が格納される。所有者情報には、当該所有者に対応したパスワードや、氏名や、電話番号やメールアドレスなどの所有者のアクセス情報などが含まれる。また、所有者の登録した電話帳やアドレス帳やその他のデータが含まれていてもよい。
【００２８】
なお、図１に示される構成は一般的な携帯端末の構成であり、携帯端末１００が携帯電話機である場合には通話を制御する構成、デジタルカメラである場合には撮像動作を制御する構成など、上述の構成の他に、実装される装置に応じた構成が含まれていてもよい。
【００２９】
図２は、本実施の形態にかかる携帯端末１００において、当該携帯端末１００の所有者を現所有者である第１所有者から、次の新所有者である第２所有者に引継ぐ処理である引継処理を行なうための機能構成の具体例を示す図である。
【００３０】
図２を参照して、第１の実施の形態にかかる携帯端末１００が引継処理を行なうための機能は、操作入力部１０１、パスワード取得部１０３、パスワード記憶部１０５、パスワード認証部１０７、位置情報取得部１０９、位置情報登録部１１１、位置情報認証部１１３、位置情報記憶部１１５、認識部１１７、所有者情報記憶部１１９、および不正使用防止部１２１を含んで構成される。
【００３１】
上記各機能のうち、パスワード記憶部１０５、位置情報記憶部１１５、および所有者情報記憶部１１９は、各々、記憶部１０の所定領域で構成される。それ以外の各機能は、制御部７が記憶部１０に記憶されている引継プログラムを読出して実行することで、主に制御部７に形成される。また、その一部が図１に示される他の構成要素で実現されてもよい。
【００３２】
操作入力部１０１は操作部８からの操作信号をパスワード取得部１０３または位置情報取得部１０９に入力する。
【００３３】
パスワード取得部１０３は、操作入力部１０１から入力された操作信号よりユーザが入力したパスワードを取得し、パスワード認証部１０７に入力する。
【００３４】
パスワード記憶部１０５は所有者に対応するパスワードを記憶する。パスワード認証部１０７は、パスワード記憶部１０５を参照して、パスワード取得部１０３より入力されたパスワードが当該携帯端末１００に登録されパスワード記憶部１０５に記憶されているパスワードと一致しているか否かを判定する。判定結果は位置情報登録部１１１に入力される。
【００３５】
位置情報取得部１０９は、ＧＰＳ３より算出された現在位置を示す位置情報を取得し、位置情報登録部１１１に入力する。位置情報登録部１１１は、パスワード認証部１０７において入力されたパスワードと登録されているパスワードとが一致していると認証された場合に、位置情報取得部１０９より入力された位置情報を位置情報記憶部１１５に記憶させて、当該携帯端末１００に登録する。
【００３６】
また、位置情報取得部１０９は、操作入力部１０１から入力された所定の操作信号に応じてＧＰＳ３より算出された現在位置を示す位置情報を取得し、位置情報認証部１１３に入力する。位置情報認証部１１３は、位置情報記憶部１１５を参照して、位置情報取得部１０９より入力された位置情報を、当該携帯端末１００に登録され位置情報記憶部１１５に記憶されている位置情報に基づいて認証する。ここでの認証は、たとえば、位置情報取得部１０９より入力された位置情報が当該携帯端末１００に登録され位置情報記憶部１１５に記憶されている位置情報と一致しているか否かの判定が該当する。なお、ここでの「
一致」とは、完全な一致に限定されず、位置情報取得部１０９より入力された位置情報が示す位置が当該携帯端末１００に登録され位置情報記憶部１１５に記憶されている位置情報が示す位置から所定の範囲にある場合にも一致と判定されてもよい。この所定の範囲は、ＧＰＳ機能の誤差の範囲でもよいし、ＧＰＳ機能の誤差の範囲以上の、予め設定されたある程度の範囲であってもよい。
【００３７】
位置情報認証部１１３での判定結果は認識部１１７または不正使用防止部１２１に入力される。また、位置情報認証部１１３は、判定結果に応じて表示部９に画面を表示させたり、スピーカ６から警告音を鳴動させたりする。
【００３８】
認識部１１７は、位置情報認証部１１３において取得した位置情報と登録されている位置情報とが一致していると認証され引継ぎが許可された場合に、接続部１２に接続されたＩＣカード１３より所有者情報を認識して取得し、所有者情報記憶部１１９に記憶させて当該携帯端末１００に所有者情報として登録する。
【００３９】
不正使用防止部１２１は、位置情報認証部１１３において取得した位置情報と登録されている位置情報とが不一致であると判定された場合に、接続部１２にＩＣカード１３が接続されたことが検出されると不正使用防止のための制御を行なう。不正使用防止のための制御としては、当該携帯端末１００が不正使用されないようにするためのあらゆる制御を含み、たとえば、当該携帯端末１００が起動しないように制御したり、すべてまたは特定の機能を制限するようロック制御したり、通信部２より所定の宛先に対して不正な引継ぎがあったことを通知するよう制御したり、スピーカ６から警告音を鳴動するよう制御したりすることなどが該当する。
【００４０】
図３は、第１の実施の形態にかかる携帯端末１００で行なわれる引継処理であって、第１所有者から第２所有者に当該携帯端末１００を引継ぐために第１所有者の操作に応じて行なわれる引継処理を示すフローチャートである。図３のフローチャートに示される処理は、ユーザ操作に応じて制御部７で記憶部１０に記憶されている引継プログラム１５を読出して実行し、図２に示される各機能を制御することによって実現される処理である。
【００４１】
図３を参照して、始めに、引継プログラム１５が起動すると、図示されないメニュー画面が表示部９に表示されて、操作入力部１０１において、そのメニューの中から、第１所有者の操作に応じて行なわれる引継処理（たとえば「端末を新所有者に引継ぐ」という選択肢等）の選択を受付けて以降の処理が開始される（ステップＳ１０１）。
【００４２】
処理が開始されると取得位置情報取得部１０９においてＧＰＳ２より現在の場所を示す位置情報が取得され（ステップＳ１０３）、その後、表示部９に図示されないパスワード入力画面が表示されて、操作入力部１０１においてパスワードが入力される（ステップＳ１０５）。
【００４３】
ステップＳ１０５で入力されたパスワードは、パスワード認証部１０７において携帯端末に登録されているパスワードと一致しているか否かが判定されて（ステップＳ１０７）、一致している場合にのみ（ステップＳ１０７でＯＫ）、ステップＳ１０３で取得された位置情報が位置情報記憶部１１５に登録され（ステップＳ１０９）、処理が終了する。
【００４４】
パスワードの認証が不成功であった場合（ステップＳ１０７でＮＧ）、認証の不成功が規定回数以内であれば（ステップＳ１１１でＹＥＳ）処理をステップＳ１０５に戻し、再度パスワード入力画面を表示して入力を受付ける。認証の不成功が規定回数を超えた場合は（ステップＳ１１１でＮＯ）、処理が終了する。
【００４５】
以上で第１所有者の操作に応じて行なわれる引継処理が終了し、引継ぐための準備が完了（または失敗）する。上記処理の後、第１所有者は自身の加入者ＩＣカード１３を携帯端末１００から抜き、第２所有者に対して携帯端末１００を譲渡すると共に上記処理を実行した場所を伝える。第２所有者は第１所有者から伝えられた場所で、引継ぎのための操作を行なう。
【００４６】
図４は、第１の実施の形態にかかる携帯端末１００で行なわれる引継処理であって、第１所有者から第２所有者に当該携帯端末１００を引継ぐために第２所有者の操作に応じて行なわれる引継処理を示すフローチャートである。図４のフローチャートに示される処理もまた、ユーザ操作に応じて制御部７で記憶部１０に記憶されている引継プログラム１５を読出して実行し、図２に示される各機能を制御することによって実現される処理である。
【００４７】
図４を参照して、始めに、引継プログラム１５が起動すると、図示されないメニュー画面が表示部９に表示されて、操作入力部１０１において、そのメニューの中から、第２所有者の操作に応じて行なわれる引継処理（たとえば「端末を前所有者から引継ぐ」という選択肢等）の選択を受付けて以降の処理が開始される（ステップＳ２０１）。
【００４８】
処理が開始されると取得位置情報取得部１０９においてＧＰＳ２より現在の場所を示す位置情報が取得される（ステップＳ２０３）。位置情報認証部１１３において、上記ステップＳ１０９で登録された位置情報が位置情報記憶部１１５より取得されて（ステップＳ２０５）、ステップＳ２０３で取得された位置情報とステップＳ２０５で取得された位置情報とが一致しているか（または所定の範囲内にあるか）否かが判定される（ステップＳ２０７）。
【００４９】
ステップＳ２０３で取得された位置情報とステップＳ２０５で取得された位置情報とが一致していると認証された場合にのみ（ステップＳ２０７でＹＥＳ）、引継ぎが許可され、たとえば表示部９に表示がなされるなどして、第２所有者のＩＣカードの挿入がされる。認証部１１７は、第２所有者のＩＣカード１３より所有者情報を取得して、所有者情報記憶部１１９に新たな所有者情報として登録する（ステップＳ２０９，Ｓ２１１）。以上で処理が終了する。これによって、当該携帯端末１００の引継が完了し、第２所有者による使用が可能となる。
【００５０】
ステップＳ２０３で取得された位置情報とステップＳ２０５で取得された位置情報とが一致していない場合は（ステップＳ２０７でＮＯ）、不正使用防止部１２１において、不正使用を防止するための制御が行なわれ、たとえば警告表示や警告音の鳴動でその旨を通知するなどがなされる（ステップＳ２１１）。さらに、それを無視して第２所有者のＩＣカード１３が挿入されたことが検出されると不正使用と見なし、当該携帯端末１００の起動ができないようにしたり、各種機能を制限したり、所定の宛先に不正使用を通知したりすることがなされる。以上で処理が終了する。これによって、当該携帯端末１００の引継が完了し、第２所有者による不正使用が防止される。
【００５１】
本実施の形態にかかる携帯端末１００において上記引継処理が実行されることで、パスワードだけでなく位置情報も用いて第１所有者から第２所有者に所有者が引継がれ、たとえパスワードが一致した場合であっても、第１所有者が引継操作を行なった場所で第２所有者が引継操作を行なわないと引継が成功しない。そのため、携帯端末が盗難にあったり、携帯端末を紛失したりした場合であっても、それを取得した第三者が不正に使用したり私物化したりすることを的確に防止することができる。また、新規購入時にはユーザ登録（店舗からの引継ぎ）場所を携帯端末取扱店とすることで、店舗から携帯端末が盗難された場合には店舗以外の場所でユーザ登録を行なうことができず、店舗からの盗難も抑制さ
れる。
【００５２】
すなわち、本実施の形態にかかる携帯端末は、加入者ＩＣカードを入替えることで他の携帯端末を容易に使用できるという利便性を損なうことなく、第三者の携帯端末の不正使用を防止することを可能とする。
【００５３】
なお、第１の実施の形態においては、引継処理を行なうためのすべての機能が携帯端末１００に備えられている例が示されたが、携帯端末１００とサーバとを含む情報管理システムにおいて、上記構成の少なくとも一部がサーバに備えられ、適宜携帯端末１００がサーバの機能にアクセスすることで引継処理が行なわれてもよい。その一例を第２の実施の形態に示す。
【００５４】
［第２の実施の形態］
図５は、携帯電話機等である携帯端末１００と、一般的なサーバ等である管理サーバ２００とを含んで構成される、第２の実施の形態にかかる情報管理システムの構成の具体例と、各装置の主要なハードウェア構成の具体例とを示す図である。
【００５５】
図５を参照して、第２の実施の形態にかかる情報管理システムに含まれる携帯端末１００は、第１の実施の形態にかかる携帯端末１００と同様のハードウェア構成である。
【００５６】
管理サーバ２００は、送受信用のアンテナ２１と、通信部２２と、ＣＰＵなどから構成される制御部２７と、ＲＯＭやＲＡＭやＨＤなどの記憶部２０とを含んで構成される。なお、管理サーバ２００の上記ハードウェア構成は一般的なパーソナルコンピュータ等のハードウェア構成であり、上述構成以外の構成要素が含まれていてもよい。
【００５７】
図６は、本実施の形態にかかる携帯端末１００において、当該携帯端末１００の所有者を現所有者である第１所有者から、次の新所有者である第２所有者に引継ぐ処理である引継処理を行なうための携帯端末１００および管理サーバ２００の機能構成の具体例を示す図である。
【００５８】
図６を参照して、第２の実施の形態にかかる携帯端末１００が引継処理を行なうための機能は、第１の実施の形態にかかる携帯端末１００に含まれる操作入力部１０１、パスワード取得部１０３、パスワード記憶部１０５、パスワード認証部１０７、位置情報取得部１０９、位置情報登録部１１１、位置情報認証部１１３、および認識部１１７を同様に含んで構成される。さらに、第１の実施の形態にかかる携帯端末１００に含まれた位置情報記憶部１１５および所有者情報記憶部１１９に換えて、管理サーバ２００との間で位置情報および所有者情報を送受信するための位置情報送受信部１２３および所有者情報記憶部１２５を含んで構成される。
【００５９】
管理サーバ２００は、携帯端末１００の所有者の所有者情報を記憶する所有者情報記憶部２１９と、位置情報記憶部２１５とを含んで構成される。
【００６０】
本実施の形態において、位置情報登録部１１１は、パスワード認証部１０７において入力されたパスワードと登録されているパスワードとが一致していると認証された場合に、位置情報取得部１０９より入力された位置情報を位置情報送受信部１２３に入力する。位置情報送受信部１２３は管理サーバ２００の位置情報記憶部２１５にアクセスして入力された位置情報を記憶させ、管理サーバ２００に登録する。
【００６１】
また、位置情報認証部１１３は、位置情報取得部１０９から位置情報が入力されると、位置情報送受信部１２３に管理サーバ２００に登録されている位置情報を取得することを
要求する。位置情報送受信部１２３はその要求に応じて管理サーバ２００の位置情報記憶部２１５にアクセスし、登録された位置情報を取得する。位置情報認証部１１３は、位置情報取得部１０９より入力された位置情報と管理サーバ２００に登録された位置情報とが一致しているか否かを判定する。
【００６２】
また、認識部１１７は、位置情報認証部１１３において取得した位置情報と管理サーバ２００に登録されている位置情報とが一致していると認証され引継ぎが許可された場合に、接続部１２に接続されたＩＣカード１３より所有者情報を認識して取得し、所有者情報送受信部１２５に入力する。所有者情報送受信部１２５は管理サーバ２００の所有者情報記憶部２１９にアクセスして入力された所有者情報を記憶させ、管理サーバ２００に登録する。
【００６３】
本実施の形態にかかる情報管理システムが図示されない他の携帯端末を含んで構成される場合、管理サーバ２００において、所有者情報や位置情報は携帯端末１００と対応付けて記憶される。そのため、位置情報送受信部１２３および所有者情報記憶部１２５は、位置情報および所有者情報を送信する際には当該携帯端末１００を識別する情報をこれらの情報と共に管理サーバ２００に対して送信することが好ましい。また、管理サーバ２００にアクセスして位置情報および所有者情報を取得する際には、当該携帯端末１００を識別する情報を用いてこれらの情報を要求することが好ましい。この携帯端末１００を識別する情報は、たとえば情報管理システムが構築される際に一意に管理サーバ２００によって携帯端末１００に対して一意に割振られるものであってもよいし、携帯端末１００に固有の情報であって、情報管理システムに参加する際に管理サーバ２００に対して登録するものであってもよいし、情報管理システムの管理者や携帯端末１００の所有者などのユーザによって付与されるものであってもよい。
【００６４】
図７は、第２の実施の形態にかかる携帯端末１００で行なわれる引継処理であって、第１所有者から第２所有者に当該携帯端末１００を引継ぐために第１所有者の操作に応じて行なわれる引継処理を示すフローチャートである。図７のフローチャートに示される処理は、ユーザ操作に応じて制御部７で記憶部１０に記憶されている引継プログラム１５を読出して実行し、図６に示される各機能を制御することによって実現される処理である。
【００６５】
図７を参照して、本実施の形態にかかる携帯端末１００においては、第１の実施の形態にかかる引継処理の、ステップＳ１０１〜Ｓ１０７，Ｓ１１３と同様の処理が実行される。
【００６６】
ステップＳ１０７で、パスワード認証部１０７においてステップＳ１０５で入力されたパスワードが携帯端末に登録されているパスワードと一致していると判定された場合（ステップＳ１０７でＯＫ）、上記ステップＳ１０９の処理に換えてステップＳ３０９において、ステップＳ１０３で取得された位置情報が管理サーバ２００の位置情報記憶部２１５に登録され、処理が終了する。
【００６７】
以上で第１所有者の操作に応じて行なわれる引継処理が終了し、引継ぐための準備が完了（または失敗）する。上記処理の後、第１所有者は自身の加入者ＩＣカード１３を携帯端末１００から抜き、第２所有者に対して携帯端末１００を譲渡すると共に上記処理を実行した場所を伝える。第２所有者は第１所有者から伝えられた場所で、引継ぎのための操作を行なう。
【００６８】
図８は、第２の実施の形態にかかる携帯端末１００で行なわれる引継処理であって、第１所有者から第２所有者に当該携帯端末１００を引継ぐために第２所有者の操作に応じて行なわれる引継処理を示すフローチャートである。図８のフローチャートに示される処理
もまた、ユーザ操作に応じて制御部７で記憶部１０に記憶されている引継プログラム１５を読出して実行し、図６に示される各機能を制御することによって実現される処理である。
【００６９】
図８を参照して、本実施の形態にかかる携帯端末１００においては、第１の実施の形態にかかる引継処理の、ステップＳ２０１〜Ｓ２０９，Ｓ２１３と同様の処理が実行される。
【００７０】
ステップＳ２０７で、位置情報認証部１１３において、ステップＳ２０３で取得された位置情報とステップＳ２０５で取得された位置情報とが一致していると認証された場合に、上記ステップＳ２１１に換えてステップＳ４１１において、ステップＳ２０９で第２所有者のＩＣカード１３より取得された所有者情報が管理サーバ２００の所有者情報記憶部２１９に携帯端末１００の新たな所有者情報として登録される。以上で処理が終了する。これによって、当該携帯端末１００の引継が完了し、第２所有者による使用が可能となる。
【００７１】
このように、図２に示される携帯端末１００の機能構成の少なくとも一部を管理サーバ２００が備えることで、上述の利点に加えて、さらに携帯端末１００の構成を容易にすることができ、プログラムを簡略化することができる。また、携帯端末１００の小型化・軽量化・低コスト化を実現することもできる。
【００７２】
なお、第２の実施の形態では、第１の実施の形態にかかる携帯端末１００に含まれる構成要素のうち、位置情報記憶部１１５および所有者情報記憶部１１９が管理サーバ２００に含まれるものとされているが、その他の構成要素が管理サーバ２００に含まれていてもよい。
【００７３】
さらに、本実施の形態にかかる携帯端末１００で実行される引継処理をコンピュータに実行させるプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７４】
なお、上記プログラムは、コンピュータのオペレーションシステム（ＯＳ）の一部として提供されるプログラムモジュールのうち、必要なモジュールを所定の配列で所定のタイミングで呼出して引継処理を実行させるものであってもよい。その場合、プログラム自体には上記モジュールが含まれずＯＳと協働して引継処理が実行される。このようなモジュールを含まないプログラムも上記プログラムに含まれ得る。
【００７５】
提供されるプログラム製品は、ハードディスクなどのプログラム格納部にインストールされて実行される。なお、プログラム製品は、プログラム自体と、プログラムが記録された記録媒体とを含む。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】第１の実施の形態にかかる携帯端末１００の主要なハードウェア構成の具体例を示す図である。
【図２】第１の実施の形態にかかる携帯端末１００において引継処理を行なうための機能構成の具体例を示す図である。
【図３】第１の実施の形態にかかる携帯端末１００で行なわれる、第１所有者の操作に応じて行なわれる引継処理を示すフローチャートである。
【図４】第１の実施の形態にかかる携帯端末１００で行なわれる、第２所有者の操作に応じて行なわれる引継処理を示すフローチャートである。
【図５】第２の実施の形態にかかる情報管理システムの構成の具体例と、各装置の主要なハードウェア構成の具体例とを示す図である。
【図６】第１の実施の形態にかかる携帯端末１００において引継処理を行なうための携帯端末１００および管理サーバ２００の機能構成の具体例を示す図である。
【図７】第２の実施の形態にかかる携帯端末１００で行なわれる、第１所有者の操作に応じて行なわれる引継処理を示すフローチャートである。
【図８】第２の実施の形態にかかる携帯端末１００で行なわれる、第２所有者の操作に応じて行なわれる引継処理を示すフローチャートである。
【符号の説明】
【００７８】
１，２１  アンテナ、２，２２  通信部、３  ＧＰＳ、６  スピーカ、７，２７  制御部、８  操作部、９  表示部、１０，２１  記憶部、１２  接続部、１３  ＩＣカード、１００  携帯端末、１０１  操作入力部、１０３  パスワード取得部、１０５  パスワード記憶部、１０７  パスワード認証部、１０９  位置情報取得部、１１１  位置情報登録部、１１３  位置情報認証部、１１５  位置情報記憶部、１１７  認識部、１１９  所有者情報記憶部、１２１  不正使用防止部、１２３  位置情報送受信部、１２５  所有者情報記憶部、２００  管理サーバ。
【図１】
2007208474.tif 000003
【図２】
2007208474.tif 000004
【図３】
2007208474.tif 000005
【図４】
2007208474.tif 000006
【図５】
2007208474.tif 000007
【図６】
2007208474.tif 000008
【図７】
2007208474.tif 000009
【図８】
2007208474.tif 000010